(57)【特許請求の範囲】
【請求項１】
メールまたは音声通話の着信を検出する着信検出手段と、
前記メールまたは前記音声通話の前記着信が検出されたとき、着信時に行う着信時動作として前記着信を使用者に報知する報知動作を行う着信報知手段と、
省電力モードに移行する省電力移行条件および前記省電力モードを解除する省電力解除条件を記憶する記憶手段と、
前記省電力移行条件および前記省電力解除条件に従い、前記省電力モードに設定するモード設定手段と、
前記省電力モード時に、前記着信時動作に関係しない機能を停止させるとともに、前記着信報知手段による前記報知動作を停止させる制御手段と、
前記省電力モード時に、着信した前記メールまたは前記音声通話が前記省電力解除条件を満たすか否かを判定する判定手段と、
アラーム設定時刻に使用者にアラーム報知する目覚まし機能を有する目覚まし時計手段と、
前記アラーム設定時刻を基点として、予め設定した時間前までを省電力設定時間に設定するための省電力設定情報を記憶する省電力設定情報記憶手段と、
前記アラーム設定時刻の設定を受け付ける時刻設定受付手段と、
前記省電力設定情報に基づいて、前記アラーム設定時刻を基点とする前記省電力設定時間を算出する算出手段と、を備え、
前記判定手段が、前記アラーム設定時刻、および前記省電力移行条件または前記省電力解除条件に従い前記省電力設定時間を設定し、現在時刻が前記省電力設定時間に該当するか否かをさらに判定し、
前記省電力設定時間に該当すると前記判定手段により判定されたとき、前記モード設定手段が前記省電力モードに移行し、
前記省電力モード時に前記メールまたは前記音声通話を着信したとき、前記省電力解除条件を満たすと前記判定手段により判定されたとき、または、前記省電力設定時間に該当しないと前記判定手段により判定されたとき、前記モード設定手段が前記省電力モードを解除し、
前記省電力モード時に、前記メールまたは前記音声通話を着信したとき、または、前記省電力解除条件を満たすと前記判定手段により判定されたとき、前記制御手段が、前記着信報知手段による前記報知動作を実施させる携帯端末装置。
【請求項２】
請求項１に記載の携帯端末装置において、
前記省電力解除条件は、前記メールまたは前記音声通話の前記着信が、所定時間以内に連続して検出された場合を含み、
前記判定手段が、前記着信検出手段が所定時間以内に連続して前記着信を検出したか否かを判定し、
前記モード設定手段が、前記着信検出手段が前記所定時間以内に連続して前記着信を検出したと前記判定手段により判定されたとき、前記省電力モードを解除する携帯端末装置。
【請求項３】
請求項１または２に記載の携帯端末装置において、
前記省電力解除条件は、着信した前記メールまたは前記音声通話の所定の発信元情報を含み、
前記判定手段は、前記着信検出手段が着信を検出した前記メールまたは前記音声通話の発信元情報が前記省電力解除条件で指定された前記所定の発信元情報と一致するか否かを判定し、
前記モード設定手段が、前記着信検出手段が着信を検出した前記メールまたは前記音声通話の前記発信元情報が前記省電力解除条件で指定された前記所定の発信元情報と一致すると前記判定手段により判定されたとき、前記省電力モードを解除する携帯端末装置。
【請求項４】
請求項１乃至３いずれかに記載の携帯端末装置において、
前記記憶手段は、さらに、前記メールまたは前記音声通話の着信動作の設定を着信時動作設定情報として記憶する携帯端末装置。
【請求項５】
請求項１乃至４いずれかに記載の携帯端末装置において、
前記記憶手段は、さらに、充電時の動作の設定を充電時動作設定情報として記憶する携帯端末装置。
【請求項６】
請求項１乃至５いずれかに記載の携帯端末装置において、
充電器との接続状態を検知する検知手段をさらに備え、
前記記憶手段に記憶される前記省電力移行条件または前記省電力解除条件は、前記充電器との前記接続状態を含む携帯端末装置。
【請求項７】
請求項１乃至６いずれかに記載の携帯端末装置において、
自装置の動きを検出する加速度検出手段をさらに備え、
前記記憶手段に記憶される前記省電力移行条件または前記省電力解除条件は、前記加速度検出手段の出力状態を含む携帯端末装置。
【請求項８】
請求項１乃至７いずれかに記載の携帯端末装置において、
現在の位置情報を取得する位置取得手段をさらに備え、
前記記憶手段に記憶される前記省電力移行条件または前記省電力解除条件は、特定の場所の位置情報を含む携帯端末装置。
【請求項９】
請求項１乃至８いずれかに記載の携帯端末装置において、
アクセスポイントを経由して無線ＬＡＮ（Local Area Network）通信を行う通信手段と、
前記通信手段により、前記アクセスポイントのアクセスポイント情報を取得する取得手段と、をさらに備え、
前記記憶手段に記憶される前記省電力移行条件または前記省電力解除条件は、特定のアクセスのアクセスポイント情報を含む携帯端末装置。
【請求項１０】
請求項１乃至９いずれかに記載の携帯端末装置において、
前記携帯端末装置は、折り畳み型またはスライド型であり、
前記携帯端末装置の開閉状態を検出する検出手段と、をさらに備え、
前記記憶手段に記憶される前記省電力移行条件は、前記開閉状態を含む携帯端末装置。
【請求項１１】
メールまたは音声通話の着信を検出する着信検出手段と、
前記メールまたは前記音声通話の前記着信が検出されたとき、着信時に行う着信時動作として前記着信を使用者に報知する報知動作を行う着信報知手段と、
省電力モードに移行する省電力移行条件および前記省電力モードを解除する省電力解除条件を記憶する記憶手段と、
前記省電力移行条件および前記省電力解除条件に従い、前記省電力モードに設定するモード設定手段と、
前記省電力モード時に、前記着信時動作に関係しない機能を停止させるとともに、前記着信報知手段による前記報知動作を停止させる制御手段と、
前記省電力モード時に、着信した前記メールまたは前記音声通話が前記省電力解除条件を満たすか否かを判定する判定手段と、
アラーム設定時刻に使用者にアラーム報知する目覚まし機能を有する目覚まし時計手段と、
前記アラーム設定時刻を基点として、予め設定した時間前までを省電力設定時間に設定するための省電力設定情報を記憶する省電力設定情報記憶手段と、
前記アラーム設定時刻の設定を受け付ける時刻設定受付手段と、
前記省電力設定情報に基づいて、前記アラーム設定時刻を基点とする前記省電力設定時間を算出する算出手段と、を備え、
前記判定手段は現在時刻が前記省電力設定時間に該当するか否かをさらに判定し、前記省電力設定時間に該当すると前記判定手段により判定されたとき、前記モード設定手段は前記省電力モードに移行し、
前記省電力モード時に、前記メールまたは前記音声通話を着信したとき、前記省電力解除条件を満たすと前記判定手段により判定されたとき、または、前記省電力時間に該当しないと前記判定手段により判定されたとき、前記モード設定手段が、前記省電力モードを解除する携帯端末装置。
【請求項１２】
アラーム設定時刻に使用者にアラーム報知する目覚まし時計手段と、
前記アラーム設定時刻の設定を受け付ける時刻設定受付手段と、
前記アラーム設定時刻から予め設定した時間前までを、省電力モードに設定する省電力モード設定時間として設定する判定手段と、
を有する携帯端末装置。
【請求項１３】
携帯端末装置の制御方法であって、
前記携帯端末装置が、
メールまたは音声通話の着信を検出する着信検出工程と、
前記メールまたは前記音声通話の前記着信が検出されたとき、着信時に行う着信時動作として前記着信を使用者に報知する報知動作を行う着信報知工程と、
省電力モードに移行する省電力移行条件および前記省電力モードを解除する省電力解除条件に従い、前記省電力モードに設定するモード設定工程と、
前記省電力モード時に、前記着信時動作に関係しない機能を停止させるとともに、前記着信報知工程での前記報知動作を停止させる制御工程と、
前記省電力モード時に、着信した前記メールまたは前記音声通話が前記省電力解除条件を満たすか否かを判定する判定工程と、
アラーム設定時刻に使用者にアラーム報知する目覚まし時計工程と、
前記アラーム設定時刻の設定を受け付ける時刻設定受付工程と、
前記アラーム設定時刻を基点として、予め設定した時間前までを省電力設定時間に設定するための省電力設定情報に基づいて、前記アラーム設定時刻を基点とする前記省電力設定時間を算出する算出工程と、を実行し、
前記判定工程で、前記アラーム設定時刻、および前記省電力移行条件または前記省電力解除条件に従い前記省電力設定時間を設定し、現在時刻が前記省電力設定時間に該当するか否かをさらに判定し、
前記省電力設定時間に該当すると前記判定工程で判定されたとき、前記モード設定工程で前記省電力モードに移行し、
前記省電力モード時に、前記メールまたは前記音声通話を着信したとき、前記省電力解除条件を満たすと前記判定工程で判定されたとき、または、前記省電力設定時間に該当しないと前記判定工程手段で判定されたとき、前記モード設定工程で前記省電力モードを解除し、
前記省電力モード時に、前記メールまたは前記音声通話を着信したとき、または、前記省電力解除条件を満たすと前記判定工程で判定されたとき、前記着信報知工程で前記報知動作を実施する携帯端末装置の制御方法。
【請求項１４】
携帯端末装置の制御方法であって、
前記携帯端末装置が、
メールまたは音声通話の着信を検出する着信検出工程、
前記メールまたは前記音声通話の前記着信が検出されたとき、着信時に行う着信時動作として前記着信を使用者に報知する報知動作を行う着信報知工程と、
省電力モードに移行する省電力移行条件および前記省電力モードを解除する省電力解除条件に従い、前記省電力モードに設定するモード設定工程と、
前記省電力モード時に、前記着信時動作に関係しない機能を停止させるとともに、前記着信報知工程での前記報知動作を停止させる制御工程と、
前記省電力モード時に、着信した前記メールまたは前記音声通話が前記省電力解除条件を満たすか否かを判定する判定工程と、
アラーム設定時刻に使用者にアラーム報知する目覚まし時計工程と、
前記アラーム設定時刻の設定を受け付ける時刻設定受付工程と、
前記アラーム設定時刻を基点として、予め設定した時間前までを省電力設定時間に設定するための省電力設定情報に基づいて、前記アラーム設定時刻を基点とする前記省電力設定時間を算出する算出工程と、を実行し、
前記判定工程では現在時刻が前記省電力設定時間に該当するか否かをさらに判定し、前記省電力設定時間に該当すると前記判定工程で判定されたとき、前記モード設定工程で前記省電力モードに移行し、
前記省電力モード時に、前記メールまたは前記音声通話を着信したとき、前記省電力解除条件を満たすと前記判定工程で判定されたとき、または、前記省電力時間に該当しないと前記判定工程で判定されたとき、前記モード設定工程で、前記省電力モードを解除する携帯端末装置の制御方法。
【請求項１５】
携帯端末装置の制御方法であって、
前記携帯端末装置が、
アラーム設定時刻に使用者にアラーム報知する目覚まし時計工程と、
前記アラーム設定時刻の設定を受け付ける時刻設定受付工程と、
前記アラーム設定時刻から予め設定した時間前までを、省電力モードに設定する省電力モード設定時間として設定する設定工程と、
を実行する携帯端末装置の制御方法。
【請求項１６】
コンピュータを、
メールまたは音声通話の着信を検出する着信検出手段、
前記メールまたは前記音声通話の前記着信が検出されたとき、着信時に行う着信時動作として前記着信を使用者に報知する報知動作を行う着信報知手段、
省電力モードに移行する省電力移行条件および前記省電力モードを解除する省電力解除条件を記憶する記憶手段、
前記省電力移行条件および前記省電力解除条件に従い、前記省電力モードに設定するモード設定手段、
前記省電力モード時に、前記着信時動作に関係しない機能を停止させるとともに、前記着信報知手段による前記報知動作を停止させる制御手段、
前記省電力モード時に、着信した前記メールまたは前記音声通話が前記省電力解除条件を満たすか否かを判定する判定手段、
アラーム設定時刻に使用者にアラーム報知する目覚まし機能を有する目覚まし時計手段、
前記アラーム設定時刻を基点として、予め設定した時間前までを前記省電力設定時間に設定するための省電力設定情報を記憶する省電力設定情報記憶手段、
前記アラーム設定時刻の設定を受け付ける時刻設定受付手段、
前記省電力設定情報に基づいて、前記アラーム設定時刻を基点とする前記省電力設定時間を算出する算出手段、
として機能させ、
前記判定手段に、前記アラーム設定時刻、および前記省電力移行条件または前記省電力解除条件に従い前記省電力設定時間を設定させ、現在時刻が前記省電力設定時間に該当するか否かをさらに判定させ、
前記省電力設定時間に該当すると前記判定手段により判定されたとき、前記モード設定手段に前記省電力モードに移行させ、
前記省電力モード時に前記メールまたは前記音声通話を着信したとき、前記省電力解除条件を満たすと前記判定手段により判定されたとき、または、前記省電力設定時間に該当しないと前記判定手段により判定されたとき、前記モード設定手段に前記省電力モードを解除させ、
前記省電力モード時に、前記メールまたは前記音声通話を着信したとき、または、前記省電力解除条件を満たすと前記判定手段により判定されたとき、前記制御手段に、前記着信報知手段による前記報知動作を実施させるプログラム。
【請求項１７】
コンピュータを、
メールまたは音声通話の着信を検出する着信検出手段、
前記メールまたは前記音声通話の前記着信が検出されたとき、着信時に行う着信時動作として前記着信を使用者に報知する報知動作を行う着信報知手段、
省電力モードに移行する省電力移行条件および前記省電力モードを解除する省電力解除条件を記憶する記憶手段、
前記省電力移行条件および前記省電力解除条件に従い、前記省電力モードに設定するモード設定手段、
前記省電力モード時に、前記着信時動作に関係しない機能を停止させるとともに、前記着信報知手段による前記報知動作を停止させる制御手段、
前記省電力モード時に、着信した前記メールまたは前記音声通話が前記省電力解除条件を満たすか否かを判定する判定手段、
アラーム設定時刻に使用者にアラーム報知する目覚まし機能を有する目覚まし時計手段、
前記アラーム設定時刻を基点として、予め設定した時間前までを省電力設定時間に設定するための省電力設定情報を記憶する省電力設定情報記憶手段、
前記アラーム設定時刻の設定を受け付ける時刻設定受付手段、
前記省電力設定情報に基づいて、前記アラーム設定時刻を基点とする前記省電力設定時間を算出する算出手段、
として機能させ、
前記判定手段に、現在時刻が前記省電力設定時間に該当するか否かをさらに判定させ、前記省電力設定時間に該当すると前記判定手段により判定されたとき、前記モード設定手段に前記省電力モードに移行させ、
前記省電力モード時に、前記メールまたは前記音声通話を着信したとき、前記省電力解除条件を満たすと前記判定手段により判定されたとき、または、前記省電力時間に該当しないと前記判定手段により判定されたとき、前記モード設定手段に前記省電力モードを解除させるプログラム。
【請求項１８】
コンピュータを、
アラーム設定時刻に使用者にアラーム報知する目覚まし時計手段、
前記アラーム設定時刻の設定を受け付ける時刻設定受付手段、
前記アラーム設定時刻から予め設定した時間前までを、省電力モードに設定する省電力モード設定時間として設定する設定手段、
として機能させるためのプログラム。
【発明の詳細な説明】
【技術分野】
【０００１】
本発明は、携帯端末装置、その制御方法、およびコンピュータプログラムに関し、特に、メールまたは音声通話を着信する携帯端末装置、その制御方法、およびコンピュータプログラムに関する。
【背景技術】
【０００２】
近年、携帯電話機等の携帯端末においては使用用途として音声通話から、メール通信が主流となり、１日のメール使用量が飛躍的に増加している。また、音声通話においては、ワンギリに代表されるような不要な電話着信に加え、メールにおいては、迷惑メールなども増加している。これらをあわせると、使用者によっては昼夜問わずに着信が発生している。
【０００３】
また、携帯電話には、メール機能、カメラ機能、ゲーム機能、ブルートゥース機能など高機能化に伴い、電話機能である通信機能以外の使用頻度が高くなり、ますます携帯端末の省電力化が重要となってきている。
【０００４】
携帯電話の高機能化に伴い、機種変更をした際に、使用者が新たな機能を使用することで、１日に携帯電話を使用している時間が増加することがあることや、各機能は省電力化を図っていたとしても、常時動作するような新規機能があった場合には就寝時など使用者が意図しないところで電力が消費される場合があることなどがあり、結果として体感的な使用時間が短くなることがあった。
【０００５】
携帯電話機における個別の機能を動作させている際の電力については、限界があるものの以前の電話機よりも省電力化を図っている。しかしながら、使用者が直接操作をしていない状況における省電力化に関しては不十分であった。
【０００６】
使用者は、新しい機能がどの程度電力を消費するか分からないこともあり、以前使用していた電話機と同様な使用頻度にも関わらず、直接操作していない状況の消費電力の増加の影響により使用時間が短くなっていると言う経験を感じている場合があった。
【０００７】
就寝時などの未使用状態における省電力化となる解決手段としては、使用者が意識的に電源キーを押下して電源をオフするか、携帯電話の機能としてある設定した時間に自動的に電源オフをする機能を使用することが一般的である。この方法では省電力化は図れるが、使用者の通信手段も使用できなくなるため、使用者の使い勝手としては良くなかった。
【０００８】
また、無操作時における省電力動作は、使用者が携帯電話から離れて明らかに使用していないのか、使用者が携帯電話のそばにいて直ぐに使える状態で待っているのかが分からないため、後者である使用者がそばにいて使える状態にいることを前提とした省電力化の取り組みしかしていなかった。
【０００９】
このような環境においては、夜に充電を完了した携帯電話機が、朝には電池容量がある程度消費している状態となっているために携帯電話機の使用時間が短くなることや、マナーモードにしていないために夜中に着信報知で起こされるなど、使用者の使い勝手に影響があった。
【００１０】
上記問題の回避手段としては、使用者が就寝時に充電台に置くなど充電動作をさせた上に、マナーモードに設定するなど音を発生させなくしたりすることが必要であった。このような対策を講じたとしても、充電が完了してしまうとある程度の電池容量が減らない限り、充電は再開しないため、再充電にならない程度の電池容量の消費が発生することがあることや、マナーモードにしたとしても、報知動作は行っているため消費電力の低減という点では効果が限定的であった。
【００１１】
また、自動設定でないことによる使用者側の設定忘れが発生するなどの課題があった。また、別の回避手段としては、使用者が意識的に電源キーを押す、または、設定した時間に電源をオフする機能である自動電源オフ機能を使用することにより、携帯電話機の機能を全て停止することが必要であった。
【００１２】
昼夜を問わないこれらの着信により、睡眠が妨げられる問題に対して、目覚ましモード時の着信に対応した携帯端末装置の一例が特許文献１および２に記載されている。
【００１３】
特許文献１に記載の携帯情報端末装置は、目覚まし機能を有するとともに、目覚まし機能が設定されている場合、音声通信またはメール受信から設定時間、着信音の鳴動を無音状態またはバイブレータを非動作状態とする手段を備え、これにより目覚ましが設定されている場合に着信があっても鳴動しないようにできる。
【００１４】
また、特許文献２に記載の無線電話機は、目覚まし時計モードに自動または手動で設定された時に、トランシーバとモデムへの電力供給をオフし、その後、所定の時刻に電力供給をオンすることで、目覚まし設定時に着信動作を行わないようにし、着信による鳴動を防止できるとともに、消費電力を削減することができる。
【先行技術文献】
【特許文献】
【００１５】
【特許文献１】特開２００４−０５６６５１号公報
【特許文献２】特表２００３−５２３６８４号公報
【発明の概要】
【発明が解決しようとする課題】
【００１６】
上述した携帯端末においては、携帯電話機の機能を全て停止する、または、着信動作の機能を停止する構成であったため、睡眠を妨げられる心配はなくなるものの、使用者が目覚ましを毎日動作させる設定をしたような状態では、緊急な着信の場合に着信ができないことや、ネットワーク側の留守電機能が設定されていない場合には誰からの着信があったか分からないこと、また使用者側の電源オフし忘れが発生するなどという問題点があった。
【００１７】
本発明の目的は、上述した課題である使用者の使い勝手の向上と未使用時の省電力化を解決する携帯端末装置、その制御方法、およびコンピュータプログラムを提供することにある。
【課題を解決するための手段】
【００１８】
本発明の携帯端末装置は、
メールまたは音声通話の着信を検出する着信検出手段と、
前記メールまたは前記音声通話の前記着信が検出されたとき、着信時に行う着信時動作として前記着信を使用者に報知する報知動作を行う着信報知手段と、
省電力モードに移行する省電力移行条件および前記省電力モードを解除する省電力解除条件を記憶する記憶手段と、
前記省電力移行条件および前記省電力解除条件に従い、前記省電力モードに設定するモード設定手段と、
前記省電力モード時に、前記着信時動作に関係しない機能を停止させるとともに、前記着信報知手段による前記報知動作を停止させる制御手段と、
前記省電力モード時に、着信した前記メールまたは前記音声通話が前記省電力解除条件を満たすか否かを判定する判定手段と、を備え、
前記省電力モード時に、前記メールまたは前記音声通話を着信したとき、前記省電力解除条件を満たすと前記判定手段により判定された場合に、前記モード設定手段が、前記省電力モードを解除し、前記制御手段が、前記着信報知手段による前記報知動作を実施させる。
【００１９】
本発明の携帯端末装置の制御方法は、
前記携帯端末装置が、
メールまたは音声通話を着信する着信部と、
前記着信を使用者に報知する報知動作を行う着信報知部と、
省電力モードに移行する省電力移行条件および前記省電力モードを解除する省電力解除条件を記憶する記憶部と、を備え、
前記携帯端末装置が、
前記メールまたは前記音声通話の前記着信を検出し、
前記メールまたは前記音声通話の前記着信が検出されたとき、前記着信報知部に前記着信時に行う着信時動作として前記着信を使用者に報知する前記報知動作を行わせ、
前記省電力移行条件および前記省電力解除条件に従い、省電力モードに設定し、
前記省電力モード時に、前記着信動作に関係しない機能を停止させるとともに、前記着信報知部による前記報知動作を停止させ、
前記省電力モード時に、着信した前記メールまたは前記音声通話が前記省電力解除条件を満たすか否かを判定し、
前記省電力モード時に、前記メールまたは前記音声通話を着信したとき、前記省電力解除条件を満たすと判定された場合に、前記省電力モードを解除し、前記着信報知部による前記報知動作を実施させる。
【００２０】
本発明の携帯端末装置を実現するコンピュータプログラムは、
前記携帯端末装置が、
メールまたは音声通話を着信する着信部と、
前記着信を使用者に報知する報知動作を行う着信報知部と、
省電力モードに移行する省電力移行条件および前記省電力モードを解除する省電力解除条件を記憶する記憶部と、を備え、
前記メールまたは前記音声通話の前記着信を検出する手順、
前記メールまたは前記音声通話の前記着信が検出されたとき、前記着信報知部に前記着信時に行う着信時動作として前記着信を使用者に報知する前記報知動作を行わせる手順、
前記省電力移行条件および前記省電力解除条件に従い、省電力モードに設定する手順、
前記省電力モード時に、前記着信動作に関係しない機能を停止させるとともに、前記着信報知部による前記報知動作を停止させる手順、
前記省電力モード時に、着信した前記メールまたは前記音声通話が前記省電力解除条件を満たすか否かを判定する手順、
前記省電力モード時に、前記メールまたは前記音声通話を着信したとき、前記省電力解除条件を満たすと判定された場合に、前記省電力モードを解除し、前記着信報知部による前記報知動作を実施させる手順をコンピュータに実行させるためのプログラムである。
【００２１】
なお、以上の構成要素の任意の組合せ、本発明の表現を方法、装置、システム、記録媒体、コンピュータプログラムなどの間で変換したものもまた、本発明の態様として有効である。
【００２２】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２３】
また、本発明の方法およびコンピュータプログラムには複数の手順を順番に記載してあるが、その記載の順番は複数の手順を実行する順番を限定するものではない。このため、本発明の方法およびコンピュータプログラムを実施するときには、その複数の手順の順番は内容的に支障しない範囲で変更することができる。
【００２４】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００２５】
本発明によれば、使用者の使い勝手の向上と未使用時の省電力化を図ることができる携帯端末装置、その制御方法、およびコンピュータプログラムが提供される。
【図面の簡単な説明】
【００２６】
【図１】本発明の実施の形態に係る携帯電話機の回路構成を示すブロック図である。
【図２】本発明の実施の形態に係る携帯電話機の構成を示す機能ブロック図である。
【図３】本発明の実施の形態に係る携帯電話機の省電力設定記憶部の構成の一例を示す図である。
【図４】本発明の実施の形態に係る携帯電話機の省電力設定機能のモード切換動作の一例を示すフローチャートである。
【図５】本発明の実施の形態に係る携帯電話機のメール着信時の動作の一例を示すフローチャートである。
【図６】本発明の実施の形態に係る携帯電話機の音声通話着信時の動作の一例を示すフローチャートである。
【図７】本発明の実施の形態に係る携帯電話機の省電力モードの解除時の動作の一例を示すフローチャートである。
【図８】本発明の実施の形態に係る携帯電話機の回路構成を示すブロック図である。
【発明を実施するための形態】
【００２７】
以下、本発明の実施の形態について、図面を用いて説明する。尚、すべての図面において、同様な構成要素には同様の符号を付し、適宜説明を省略する。
【００２８】
（第１の実施の形態）
図１は、本発明の実施の形態に係る携帯電話機の回路構成を示すブロック図である。また、図２は、図１の携帯電話機１０の構成を示す機能ブロック図である。
本実施形態の携帯電話機１０は、メールまたは音声通話の着信を検出する着信検出部１０２と、メールまたは音声通話の着信が検出されたとき、着信時に行う着信時動作として着信を使用者に報知する報知動作を行う着信報知部１０４と、省電力モードに移行する省電力移行条件および省電力モードを解除する省電力解除条件を記憶する省電力設定記憶部１１４と、省電力移行条件および省電力解除条件に従い、省電力モードに設定するモード設定部１１２と、省電力モード時に、着信時動作に関係しない機能を停止させるとともに、着信報知部１０４による報知動作を停止させる制御部１１６と、省電力モード時に、着信したメールまたは音声通話が省電力解除条件を満たすか否かを判定する判定部１１０と、を備え、省電力モード時に、メールまたは音声通話を着信したとき、省電力解除条件を満たすと判定部１１０により判定された場合に、モード設定部１１２が、省電力モードを解除し、制御部１１６が、着信報知部１０４による報知動作を実施させる。
【００２９】
詳細には、図１に示すように、携帯電話機１０は、ＣＰＵ（Central Processing Unit）１２と、メモリ１４と、報知部１６と、操作受付部１８と、表示部２０と、移動通信部２２と、アンテナ２４と、タイマ部２６と、時計部２８と、ブルートゥース部３０と、アンテナ３２と、を備える。
【００３０】
本発明の携帯端末装置は、たとえば、携帯電話機、ＰＨＳ（Personal Handyphone System）などである。以下、本実施形態では、携帯端末装置として、携帯電話機１０を例として説明する。なお、以下の各図において、本発明の本質に関わらない部分の構成、たとえば、カメラ、歩数計、所謂ワンセグなど地上デジタルテレビ放送受信部等については省略してあり、図示されていない。
【００３１】
ＣＰＵ１２は、携帯電話機１０の各要素とバス３４を介して接続され、各要素とともに携帯電話機１０全体を制御する。メモリ１４は、携帯電話機１０を動作させるためのプログラムや、そのプログラムが動作する際に使用する各種設定データなどを記憶するとともに、送受信メールや設定情報を含むメール関連データ、アドレス帳、テキストメモ、動画像を含む画像データ、音楽（楽曲、メロディ、音声等）データ、ゲームや各種ツール等のアプリケーションデータ等の各種データを含むユーザデータを記憶する領域と、プログラムが動作するための作業領域や、送受信メールのバッファなど一時的にデータを記憶する領域と、を有する。
【００３２】
報知部１６は、たとえば、スピーカ（不図示）やバイブレータ（不図示）を含み、ＣＰＵ１２からの指示に従い、スピーカから音楽、音声、またはアラーム音を出力したり、携帯電話機１０のバイブレータを振動させたりすることで、携帯電話機１０に使用者にアラーム報知やメッセージ通知などを行う。
【００３３】
操作受付部１８は、たとえば、操作キー、操作ボタン、スイッチ、ジョグダイヤル、タッチパッドなどの操作部を含み、携帯電話機１０の使用者による操作を受け付け、ＣＰＵ１２に通知する。
【００３４】
表示部２０は、たとえば、ＬＥＤ（Light Emitting Diode）表示器や、液晶ディスプレイ、有機ＥＬ（ElectroLuminescence）ディスプレイ、などを含み、ＣＰＵ１２からの指示に従い、各種画面表示や点灯点滅表示を行う。本実施形態では、表示部２０の画面は、たとえば、携帯電話機１０の本体（不図示）の前面に設けられている。上述した報知部１６による報知動作の際、報知部１６によって、表示部２０に報知画面を表示したり、ＬＥＤを点灯点滅動作させたりしてもよい。
【００３５】
移動通信部２２は、アンテナ２４を介して、携帯通信網（不図示）に基地局（不図示）を介して接続して通信し、通話やメールの送受信、携帯通信網上の携帯サイトにアクセスし、データの送受信などの処理を行う。
【００３６】
タイマ部２６は、所定の経過時間を計時する。本実施形態では、タイマ部２６は、通常時に省電力機能を動作させる際に、操作受付部１８の操作部のいずれかが所定時間以上、操作されていなかったか否かを検出したりするための計時回路である。ここで所定時間以上とは、使用者が操作を行っていない時間をいい、いわゆる「無操作」を判別する基準時間となるものである。通常時の省電力機能は、たとえば、表示部２０の液晶ディスプレイのバックライトの照度を落とす等であり、発明の本質に関わらないので詳細な説明は省略する。
【００３７】
時計部２８は、現在時刻を取得する回路であり、所定時間経過毎、本実施形態では、１分経過毎にＣＰＵ１２に通知する信号（以下、「１分割り込み」と呼ぶ）を出力する回路である。
【００３８】
ブルートゥース部３０は、Ｂｌｕｅｔｏｏｔｈ規格に準拠した無線通信機器（不図示）とアンテナ３２を介して近距離無線通信を行う回路である。たとえば、無線通信機器は、マイクとスピーカを備えたヘッドセットなどとすることができ、携帯電話機１０の待受中に、着信があった場合に、ヘッドセットに着信を無線通信で通知し、使用者は、携帯電話機１０を操作せずにヘッドセット側の操作により、着信を受け付け、通話することができる。なお、図１ではアンテナ２４およびアンテナ３２は、携帯電話機１０の外に設けられているように図示されているが、実際に外に設けられていることを図示している訳ではなく、外に設けられていても内蔵されていてもいずれでもよい。
【００３９】
図２に示すように、携帯電話機１０は、着信検出部１０２と、着信報知部１０４と、目覚まし時計部１０６と、設定時刻記憶部１０８と、判定部１１０と、モード設定部１１２と、省電力設定記憶部１１４と、制御部１１６と、を備える。
【００４０】
また、本実施形態の携帯電話機１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００４１】
なお、設定時刻記憶部１０８および省電力設定記憶部１１４は、図１のメモリ１４に含むことができる。
【００４２】
本実施形態の携帯電話機１０において、ＣＰＵ１２が、プログラムをメモリ１４に読み出して実行することにより、以下の各ユニットの各機能を実現することができる。
本実施形態のコンピュータプログラムは、メールまたは音声通話の着信を検出する手順、メールまたは音声通話の着信が検出されたとき、着信報知部１０４に着信時に行う着信時動作として着信を使用者に報知する報知動作を行わせる手順、省電力移行条件および省電力解除条件に従い、省電力モードに設定する手順、省電力モード時に、着信動作に関係しない機能を停止させるとともに、着信報知部１０４による報知動作を停止させる手順、省電力モード時に、着信したメールまたは音声通話が省電力解除条件を満たすか否かを判定する手順、省電力モード時に、メールまたは音声通話を着信したとき、省電力解除条件を満たすと判定された場合に、省電力モードを解除し、着信報知部１０４による報知動作を実施させる手順、をコンピュータに実行させるように記述されている。
【００４３】
本実施形態のコンピュータプログラムは、コンピュータで読み取り可能な記録媒体に記録されてもよい。記録媒体は特に限定されず、様々な形態のものが考えられる。また、プログラムは、記録媒体からコンピュータのメモリにロードされてもよいし、ネットワークを通じてコンピュータにダウンロードされ、メモリにロードされてもよい。
【００４４】
省電力設定記憶部１１４は、図３に示すように、省電力移行条件情報１２０と、着信時動作設定情報１２２と、充電時動作設定情報１２４と、省電力解除条件情報１２６と、省電力時動作設定情報１２８と、を含む。
【００４５】
省電力移行条件情報１２０は、携帯電話機１０の動作モードを省電力モードに移行させる条件を設定する情報であり、たとえば、省電力設定時間等を含む。省電力設定時間とは、後述する目覚まし機能で目覚まし時刻が設定された場合に、目覚まし時刻から逆算して使用者が睡眠していると推定される時間であり、現在時刻が省電力設定時間に該当するとき、省電力モードに設定される。たとえば、省電力設定時間が６時間に設定されていた場合、午前６時に目覚まし設定時刻が設定されると、６時間前の午前０時から目覚ましのアラーム設定時刻の６時の間が省電力設定時間となる。
【００４６】
着信時動作設定情報１２２は、携帯電話機１０がメールまたは音声通話を着信したときの着信時動作の設定を含み、たとえば、メール着信および音声着信時のスピーカ出力またはバイブ動作の有無、着信表示有無などの情報や、音声着信時の留守番電話動作の有無、留守番電話の応答開始までの時間等を含む。
【００４７】
充電時動作設定情報１２４は、携帯電話機１０の充電開始時および終了時の動作を設定する情報であり、充電時の状態報知動作であるＬＥＤ、および表示動作の有無や、充電における省電力動作の適用の有無等を含む。
【００４８】
省電力解除条件情報１２６は、省電力モードを解除する条件を設定する情報であり、たとえば、省電力モード時のキー操作検出時等を含む。
本実施形態の携帯電話機１０において、省電力解除条件は、メールまたは音声通話の着信が、所定時間以内に連続して検出された場合を含むことができる。判定部１１０が、着信検出部１０２が所定時間以内に連続して着信を検出したか否かを判定し、モード設定部１１２が、着信検出部１０２が所定時間以内に連続して着信を検出したと判定部１１０により判定されたとき、省電力モードを解除することができる。
【００４９】
さらに、本実施形態において、省電力解除条件は、着信したメールまたは音声通話の所定の発信元情報を含むことができる。判定部１１０は、着信検出部１０２が着信を検出したメールまたは音声通話の発信元情報が省電力解除条件で指定された所定の発信元情報と一致するか否かを判定し、モード設定部１１２が、着信検出部１０２が着信を検出したメールまたは音声通話の発信元情報が省電力解除条件で指定された所定の発信元情報と一致すると判定部１１０により判定されたとき、省電力モードを解除することができる。
【００５０】
省電力時動作設定情報１２８は、省電力モード時の携帯電話機１０の動作の設定情報であり、たとえば、携帯電話機１０は、報知部１６による報知動作を停止したり、表示部２０の表示を停止したり、着信時に留守番動作を行ったり、使用者が設定している消費電流に影響するブルートゥース設定、ウィジェット設定、および歩数計カウント機能など着信動作に関係しないアプリケーションの設定を停止するなどの省電力動作の設定情報を含む。さらに、省電力動作は、着信時動作設定情報１２２と充電時動作設定情報１２４を元に電力を消費する表示部２０の制御、報知部１６が報知に使う、バイブレータやスピーカ、ＬＥＤの制御、サーチ動作、留守番動作の制御を含む。
【００５１】
省電力設定記憶部１１４に記憶される各情報は、図１の表示部２０に表示された設定画面で図１の操作受付部１８を使用者が操作して設定または変更することができる。設定または変更方法については、これに限定されるものではなく、ＰＣ（Personal Computer）などの他の端末に接続し、ＰＣ上で所定のツールやウェブサイト上の画面で設定または変更した情報を携帯電話機１０に送信して、設定または変更してもよい。
【００５２】
図２に戻り、着信検出部１０２は、携帯電話機１０が待受中に、図１の移動通信部２２におけるメールまたは音声通話の着信を検出し、着信報知部１０４に通知する。着信報知部１０４は、着信検出部１０２でメールまたは音声通話の着信が検出されたとき、着信時に行う着信時動作として着信を報知する。着信報知部１０４は、図１の報知部１６に省電力設定記憶部１１４に記憶されている着信時動作設定情報１２２（図３）に従った動作を行わせて着信を報知する。
【００５３】
目覚まし時計部１０６は、アラーム設定時刻に使用者にアラーム報知する目覚まし機能を有し、設定時刻記憶部１０８に記憶される使用者が設定した目覚ましのアラーム設定時刻に従って、現在時刻がアラーム設定時刻になったとき、報知動作をする。具体的には、目覚まし時計部１０６は、図１の時計部２８から現在時刻を取得し、図１の報知部１６（図１）にアラーム音や振動、表示部２０（図１）による表示により、使用者に報知する報知動作を行わせる。
【００５４】
判定部１１０は、前述した省電力設定記憶部１１４に記憶されている省電力移行条件情報１２０（図３）を参照し、省電力移行条件を満たすか否かを判定し、省電力移行条件を満たすと判定された場合、モード設定部１１２に通知する。
【００５５】
たとえば、省電力移行条件として、本実施形態では、上述したように省電力設定時間が含まれ、判定部１１０は、目覚まし時計部１０６の目覚ましのアラーム設定時刻から逆算して省電力設定時間を算出し、算出された省電力設定時間から、図１の時計部２８の時刻が省電力移行条件を満たすか否かを判定する。省電力設定時間は、上述したように使用者により設定および変更可能とする。
【００５６】
モード設定部１１２は、判定部１１０において、省電力移行条件に従って、携帯電話機１０を省電力モードに設定する。省電力モード時に設定されたとき、携帯電話機１０は、省電力設定記憶部１１４に記憶されている省電力時動作設定情報１２８に従って動作することとなる。省電力モードは、省電力動作を行う状態を呼び、省電力モードでは、キー操作や、目覚まし時計報知動作などからなる省電力解除条件情報１２６に含まれる省電力の解除条件に合致するまでは、省電力モードを維持する。モード設定部１１２は、省電力解除条件に従って携帯電話機１０の省電力モードを解除する。
【００５７】
制御部１１６は、省電力モード時に、省電力設定記憶部１１４を参照し、省電力時動作設定情報１２８に従って、着信時動作に関係しない機能を停止させるとともに、着信報知部１０４による報知動作を停止させるなどの制御を行う。また、制御部１１６は、省電力モードが解除された時、省電力設定記憶部１１４を参照し、着信時動作設定情報１２２に従って、着信時に着信報知部１０４による報知動作を実施させるなどの制御を行う。
【００５８】
このように構成された本実施形態の携帯電話機１０の動作について以下に説明する。
図４乃至図６は、本実施形態の携帯電話機１０の動作の一例を示すフローチャートである。以下、図１乃至図６を用いて説明する。
【００５９】
なお、本実施形態の携帯電話機１０の制御方法は、携帯電話機１０が、メールまたは音声通話の着信を検出し、メールまたは音声通話の着信が検出されたとき、着信報知部１０４に着信時に行う着信時動作として着信を使用者に報知する報知動作を行わせ、省電力移行条件および省電力解除条件に従い、省電力モードに設定し、省電力モード時に、着信動作に関係しない機能を停止させるとともに、着信報知部１０４による報知動作を停止させ、省電力モード時に、着信したメールまたは音声通話が省電力解除条件を満たすか否かを判定し、省電力モード時に、メールまたは音声通話を着信したとき、省電力解除条件を満たすと判定された場合に、省電力モードを解除し、着信報知部１０４による報知動作を実施させる。
【００６０】
はじめに、本実施形態の携帯電話機１０の省電力設定機能のモード切換動作について説明する。
図４は、本実施形態の携帯電話機１０の省電力設定機能のモード切換動作の一例を示すフローチャートである。以下、図１乃至図４を用いて説明する。
ここで、携帯電話機１０の使用者は、あらかじめ所定時間にアラームが発生するように目覚まし時計機能として目覚ましのアラーム時間（たとえば、ここでは午前６時とする。）を設定しており、設定時刻記憶部１０８にアラーム設定時刻が記憶されている。
【００６１】
また、省電力動作に必要な、省電力移行条件である省電力設定時間（たとえば、６時間）および着信時動作設定（たとえば、１コール後、留守番電話機能有り）、充電時動作設定（たとえば、通常時と同様な動作）、省電力解除条件設定（たとえば、キー操作時、連続着信時、および所定発信元から着信時解除）を登録しているものとし、これらの情報は、上述したように省電力設定記憶部１１４（図２）に記憶されているものとする。
【００６２】
時計部２８（図１）より、１分割り込みとしてＣＰＵ１２（図１）に対して通知があった場合に、本処理が開始する。まず、判定部１１０（図２）が、時計部２８から現在時刻情報を読み出す（ステップＳ１０１）。
【００６３】
判定部１１０は、目覚まし時計が設定されているかどうかを確認し、目覚まし時計が設定されていない場合には（ステップＳ１０３のＮＯ）、通常動作のため何もせず、本処理を終了する。一方、目覚まし時計が設定されている場合には（ステップＳ１０３のＹＥＳ）、判定部１１０は、まずは、現在時刻が目覚ましのアラーム設定時刻かどうかを確認して、目覚ましのアラーム設定時刻（ここでは午前６時）の場合には（ステップＳ１０５のＹＥＳ）、モード設定部１１２（図２）が省電力モードを解除し（ステップＳ１０７）、制御部１１６（図２）が使用者により設定された着信時動作設定情報１２２（図３）に従って報知部１６（図１）に報知動作を行わせる（ステップＳ１０９）。
【００６４】
目覚ましのアラーム設定時刻になっていない場合には（ステップＳ１０５のＮＯ）、判定部１１０は、さらに、目覚まし時計のアラーム設定時刻から逆算した省電力設定時間（本実施例では午前０時から午前６時の間が該当する）に現在時刻が入っているかどうかを確認し、省電力設定時間内の場合には（ステップＳ１１１のＹＥＳ）、省電力設定記憶部１１４に記憶されている省電力時動作設定情報１２８（図３）に基づき、制御部１１６（図２）が表示部２０（図１）の表示を全てオフし、ブルートゥース部３０（図１）などの起動中の着信動作に関わる回路以外の回路ブロックを全て省電力状態に移行させる省電力設定を行い、省電力モードに移行する（ステップＳ１１３）。なお、ステップＳ１０９およびステップＳ１１３の後、ならびに、省電力設定時間外の場合には（ステップＳ１１１のＮＯ）、本処理を終了する。
【００６５】
このように、本実施形態の携帯電話機１０は、予め使用者によって設定された省電力移行条件および省電力解除条件に従って省電力モードを設定または解除するとともに、省電力モード時に着信を受けた場合、予め使用者によって設定された着信時動作、たとえば、メールまたは音声通話の着信時に鳴動動作などの報知動作の停止などを行うことで消費電力を低減できる。さらに、省電力モードの解除条件を満たす場合は、着信を報知する動作を行うことができるので、緊急連絡手段を残すことができる。とくに、本実施形態では、目覚まし時計機能に連動させて省電力設定時間を設定できるので、使用者は省電力モードの設定および解除を、特別な操作としてわざわざ行う必要も意識する必要もなく、設定可能であり、使い勝手がよい。
【００６６】
次に、本実施形態の携帯電話機１０の着信時動作について説明する。
図５は、本実施形態の携帯電話機１０のメール着信時の動作の一例を示すフローチャートである。以下、図２、図３、および図５を用いて説明する。
本処理は、着信検出部１０２（図２）が、メールの着信を検出したとき、開始する。
【００６７】
メール着信が発生した場合、着信検出部１０２がメール着信を検出し、判定部１１０（図２）に通知し、判定部１１０は、省電力モードに移行しているかを確認し、省電力モードに移行している場合には（ステップＳ２０１のＹＥＳ）、制御部１１６（図２）が省電力設定記憶部１１４（図２）の着信時動作設定情報１２２（図３）を読み出し（ステップＳ２０３）、着信時動作設定情報１２２に従って、制御部１１６が着信時動作を制御する。ここでは、制御部１１６は、メールに関してはメールの受信および受信データの保存のみ行い、その他電力を消費する動作は実施しないように制御する（ステップＳ２０５）。その後、判定部１１０は、省電力設定記憶部１１４の省電力解除条件情報１２６（図３）に基づき、解除条件に該当しているか否かを判定し、解除条件に該当している場合（ステップＳ２０７のＹＥＳ）、モード設定部１１２（図２）が省電力モード設定を解除し（ステップＳ２０９）、通常通りの報知動作を行った後（ステップＳ２１１）、着信時動作を終了する。一方、解除条件に該当していなければ（ステップＳ２０７のＮＯ）、そのまま着信時動作を完了する。なお、省電力モードに移行していない場合には（ステップＳ２０１のＮＯ）、通常通りの報知動作を行った後（ステップＳ２１１）、本処理を終了する。
【００６８】
次に、音声通話着信時の動作について説明する。
図６は、本実施形態の携帯電話機１０の音声通話着信時の動作の一例を示すフローチャートである。以下、図２、図３、および図６を用いて説明する。
本処理は、着信検出部１０２（図２）が、音声通話の着信を検出したとき、開始する。
【００６９】
着信検出部１０２が音声通話着信を検出し、判定部１１０（図２）に通知し、判定部１１０は、省電力モードに移行しているかを確認し、省電力モードに移行している場合には（ステップＳ２０１のＹＥＳ）、制御部１１６（図２）が着信時動作を着信時動作設定情報１２２（図３）に従って行う（ステップＳ２０３、３０１）。たとえば、報知動作は行わないが、１コール時間経過後に、留守電設定に移行し、通話先に音声メッセージを通知する。
【００７０】
その後、判定部１１０は、省電力設定記憶部１１４（図２）の省電力解除条件情報１２６（図３）に基づき、解除条件に該当しているか否かを判定し、解除条件に該当していなければ（ステップＳ３０３のＮＯ）、そのまま着信時動作を完了する。ここでは、解除条件として、たとえば、判定部１１０が１分以内に２回連続着信があったか否かを判定する。解除条件に該当している場合（ステップＳ３０３のＹＥＳ）、モード設定部１１２（図２）が省電力モード設定を解除し（ステップＳ２０９）、通常通りの報知動作を行った後（ステップＳ２１１）、着信時動作を終了する。なお、省電力モードに移行していない場合には（ステップＳ２０１のＮＯ）、通常通りの報知動作を行った後（ステップＳ２１１）、本処理を終了する。
【００７１】
このように、本実施形態では、所定時間内に連続して着信があった時には、省電力モードを解除して、着信を報知することができので、緊急連絡手段を残すことができる。あるいは、所定の発信元からの着信があった場合は、省電力モードを解除してもよい。
【００７２】
図７は、本実施形態の携帯電話機１０の省電力モードの解除時の動作の一例を示すフローチャートである。以下、図１、図２、および図７を用いて説明する。
操作受付部１８（図１）が、いずれかのキー操作を受け付けた場合に、判定部１１０（図２）が、省電力モード時かどうかを確認し、省電力モードに入っている場合には（ステップＳ４０１のＹＥＳ）、省電モードを解除する（ステップＳ４０３）。また、省電力モードに入っていない場合（ステップＳ４０１のＮＯ）、操作受付部１８が受け付けたキー入力に応じた通常の動作を行う。
【００７３】
以上説明したように、本発明においては、以下に記載するような効果を奏する。
第１に、省電力モードにおいても、最低限の通信機能は備えているため、緊急連絡手段は残されるという効果を奏する。すなわち、携帯電話機１０が自動的に電源オフされた場合など、通信機能が使えなくなり、緊急な連絡などできなくなるために、使い勝手が悪くなるといった問題点を解決することができる。
【００７４】
第２に、目覚ましのアラーム設定時刻を元に省電力モードに移行するかどうかを判断しているので、使い勝手を維持したまま使用者が確実に使用していないと想定される時間に省電力化を実現できるという効果を奏する。使用者は、省電力モードの設定および解除を意識することなく、目覚ましを設定しただけで省電力化を設定できることとなる。
【００７５】
第３に、充電時および充電後においても省電力動作を実現することにより、充電完了後の省電力を実現可能となるという効果を奏する。すなわち、充電完了後の省電力化が不十分のため夜充電して朝から使用する使い方をする人など使用方法によっては体感的に満充電後に使用できる時間が少なくなっていたという問題点を解決することができる。
【００７６】
第４に、省電力モード時に着信関係しない機能、たとえば、ブルートゥース待ち受け機能などを停止させるので、消費電力を効果的に低減できるという効果を奏する。すなわち、ブルートゥース待ち受け機能を動作させた場合など、使用者が使用している状態を意識しにくい機能を起因とする消費電力の悪化を削減できないため使用時間への影響が避けられないという課題を解決することができる。
【００７７】
（第２の実施の形態）
図８は、本発明の実施の形態に係る携帯電話機の構成を示す機能ブロック図である。
本実施形態の携帯電話機２００は、上記実施形態とは、省電力モードの移行条件および解除条件が相違する。本実施形態の２００は、上記実施形態の携帯電話機１０と同様な構成に加え、さらに、加速度センサ部２１２と、ＧＰＳ（Global Positioning System）部２１４と、ＷＬＡＮ（Wireless Local Area Network）部２１６と、を備える。なお、本実施形態では、加速度センサ部２１２、ＧＰＳ部２１４、およびＷＬＡＮ部２１６をすべて備える構成としたが、少なくとも、いずれか一つを備えた構成としてもよい。
【００７８】
加速度センサ部２１２は、携帯電話機２００の動きを検出する。ＧＰＳ部２１４は、携帯電話機２００の現在位置を測定する。ＷＬＡＮ部２１６は、アンテナ２１８を介してアクセスポイント（不図示）を介して無線通信し、ネットワークに接続する。本実施形態において、判定部１１０は、ＷＬＡＮ部２１６が接続したアクセスポイントのアクセスポイント情報を取得する。
【００７９】
本実施形態において、省電力移行条件として、加速度センサ部２１２の出力により携帯電話機２００の動きを検出し、携帯電話機２００が動いていないときのみ、省電力モードに移行することが設定されている。または、省電力解除条件として、加速度センサ部２１２の出力により、省電力モード時に携帯電話機２００が動いたことが検出されたとき、省電力モードを解除することが設定されてもよい。
【００８０】
あるいは、省電力移行条件として、自宅などの特定の場所の位置情報をメモリ１４に予め登録することにより、ＧＰＳ部２１４で計測された位置情報に基づいて、携帯電話機２００が自宅にあるか否かを判定部１１０（図２）が判定でき、自宅にあると判定されたときに、省電力モードに移行可能なことが設定されてもよい。あるいは、ＷＬＡＮ部２１６により、自宅などの特定の場所で接続可能な特定のアクセスポイントやネットワークなどをメモリ１４に予め登録することにより、判定部１１０がＷＬＡＮ部２１６で検出された特定のアクセスポイントやネットワークを検出したときに、自宅などの特定の場所にあると判断してもよい。すなわち、ＧＰＳ部２１４またはＷＬＡＮ部２１６の情報に基づき、判定部１１０が自宅にかるか否かを判断し、特定の場所にあると判断されたときに、省電力モードに移行可能となる。また、省電力解除条件として、ＧＰＳ部２１４またはＷＬＡＮ部２１６の情報に基づき、特定の場所にないと判断されたときに、省電力モードを解除するよう設定してもよい。
【００８１】
本実施形態において、判定部１１０（図２）は、省電力解除条件情報１２６（図３）に従って、省電力モード時に、加速度センサ部２１２の出力により携帯電話機２００が動いているか否かを判定し、携帯電話機２００が動いていると判定された場合に、モード設定部１１２（図２）に通知し、省電力モードを解除する。あるいは、判定部１１０は、省電力移行条件情報１２０（図３）に従って、加速度センサ部２１２の出力により携帯電話機２００が動いていないと判定された場合に、省電力モードに移行可能と判断し、さらに、省電力移行条件情報１２０に従い、時移行条件を満たすか否かを判定する。あるいは、モード設定部１１２は、移行条件を満たす場合に、携帯電話機２００が動いていないと判定部１１０により判断された場合にのみ、省電力モードに移行させる。
【００８２】
また、判定部１１０は、省電力移行条件に従って、ＧＰＳ部２１４またはＷＬＡＮ部２１６の情報に基づき、携帯電話機２００が自宅にあるか否かを判定し、自宅にあると判定された場合にのみ、省電力モードに移行可能と判断し、さらに、省電力移行条件情報１２０に従い、時移行条件を満たすか否かを判定する。あるいは、モード設定部１１２は、移行条件を満たす場合に、携帯電話機２００が動いていないと判定部１１０により判断された場合にのみ、省電力モードに移行させる。
【００８３】
ＧＰＳ部２１４とＷＬＡＮ部２１６による判定結果は、いずれか一方を用いてもよいし、両方の結果が一致した場合に採用してもよいし、優先順位を設け、優先順位が高い順に採用してもよい。優先順位は、予めメモリ１４に登録しておくことができる。ＧＰＳ部２１４の計測精度やＷＬＡＮ部２１６の通信状況に応じて、いずれの判定結果を採用するかを適宜選択してもよい。
【００８４】
以上説明したように、本実施形態によれば、省電力移行条件および解除条件を細分化して設定可能としているため、上記実施形態と同様な効果を奏するとともに、使用者毎のニーズに合ったよりきめ細かな設定が可能となり、使い勝手が高められるという効果を奏する。
【００８５】
以上、図面を参照して本発明の実施形態について述べたが、これらは本発明の例示であり、上記以外の様々な構成を採用することもできる。
たとえば、上記実施形態では、省電力モードの解除条件として、キー操作を含むが、他の実施形態において、携帯電話機の開閉検出や、充電器との接続状態などで構成してもよい。
【００８６】
具体的には、携帯電話機が折り畳み型またはスライド型であり、その開閉状態を検出する開閉検出部（不図示）を備えてもよい。開閉検出部により検出された開閉状態に基づいて、たとえば、省電力解除条件として、携帯電話機が閉状態から開状態に変わったとき、省電力モードを解除してもよい。または、省電力移行条件として、閉状態のときのみ省電力モードへの移行を可能としてもよい。
【００８７】
また、携帯電話機と充電器との接続状態を検知する検知部（不図示）を備えてもよい。検知部により検知された接続状態に基づいて、たとえば、省電力移行条件として、充電器に接続されているときにのみ省電力モードへの移行を可能としてもよい。または、省電力解除条件として、充電器との接続が切断されたとき、省電力モードを解除してもよい。
【００８８】
また、上記実施形態では、音声通話着信時にのみ、所定時間内に連続して着信があった場合に省電力モードを解除する構成としたが、これに限定されない。たとえば、メール着信時にも、所定の発信元から所定時間内に連続して着信があった場合に省電力モードを解除する構成とすることもできる。
【００８９】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
以下、参考形態の例を付記する。
１．  メールまたは音声通話の着信を検出する着信検出手段と、
前記メールまたは前記音声通話の前記着信が検出されたとき、着信時に行う着信時動作として前記着信を使用者に報知する報知動作を行う着信報知手段と、
省電力モードに移行する省電力移行条件および前記省電力モードを解除する省電力解除条件を記憶する記憶手段と、
前記省電力移行条件および前記省電力解除条件に従い、前記省電力モードに設定するモード設定手段と、
前記省電力モード時に、前記着信時動作に関係しない機能を停止させるとともに、前記着信報知手段による前記報知動作を停止させる制御手段と、
前記省電力モード時に、着信した前記メールまたは前記音声通話が前記省電力解除条件を満たすか否かを判定する判定手段と、を備え、
前記省電力モード時に、前記メールまたは前記音声通話を着信したとき、前記省電力解除条件を満たすと前記判定手段により判定された場合に、前記モード設定手段が、前記省電力モードを解除し、前記制御手段が、前記着信報知手段による前記報知動作を実施させる携帯端末装置。
２．  １に記載の携帯端末装置において、
前記省電力解除条件は、前記メールまたは前記音声通話の前記着信が、所定時間以内に連続して検出された場合を含み、
前記判定手段が、前記着信検出手段が所定時間以内に連続して前記着信を検出したか否かを判定し、
前記モード設定手段が、前記着信検出手段が前記所定時間以内に連続して前記着信を検出したと前記判定手段により判定されたとき、前記省電力モードを解除する携帯端末装置。
３．  １または２に記載の携帯端末装置において、
前記省電力解除条件は、着信した前記メールまたは前記音声通話の所定の発信元情報を含み、
前記判定手段は、前記着信検出手段が着信を検出した前記メールまたは前記音声通話の発信元情報が前記省電力解除条件で指定された前記所定の発信元情報と一致するか否かを判定し、
前記モード設定手段が、前記着信検出手段が着信を検出した前記メールまたは前記音声通話の前記発信元情報が前記省電力解除条件で指定された前記所定の発信元情報と一致すると前記判定手段により判定されたとき、前記省電力モードを解除する携帯端末装置。
４．  １乃至３いずれかに記載の携帯端末装置において、
アラーム設定時刻に使用者にアラーム報知する目覚まし機能を有する目覚まし時計手段をさらに備え、
前記判定手段が、前記目覚まし時計手段の前記アラーム設定時刻、および前記省電力移行条件または前記省電力解除条件に従い省電力設定時間を設定し、現在時刻が前記省電力設定時間に該当するか否かをさらに判定し、
前記モード設定手段が、
前記省電力設定時間に該当すると前記判定手段により判定されたとき、前記省電力モードに移行し、
前記省電力モード時に、前記メールまたは前記音声通話を着信したとき、前記判定手段により前記省電力解除条件を満たすと前記判定手段により判定された場合、または、前記省電力設定時間に該当しないと前記判定手段により判定されたとき、前記省電力モードを解除する携帯端末装置。
５．  ４に記載の携帯端装置において、
前記アラーム設定時刻を基点として、予め設定した時間前までを前記省電力設定時間に設定するための省電力設定情報を記憶する省電力設定情報記憶手段と、
前記アラーム設定時刻の設定を受け付ける時刻設定受付手段と、
前記省電力設定情報に基づいて、前記アラーム設定時刻を基点とする前記省電力設定時間を算出する算出手段と、を備える携帯端末装置。
６．  １乃至５いずれかに記載の携帯端末装置において、
前記記憶手段は、さらに、前記メールまたは前記音声通話の着信動作の設定を着信時動作設定情報として記憶する携帯端末装置。
７．  １乃至６いずれかに記載の携帯端末装置において、
前記記憶手段は、さらに、充電時の動作の設定を充電時動作設定情報として記憶する携帯端末装置。
８．  １乃至７いずれかに記載の携帯端末装置において、
充電器との接続状態を検知する検知手段をさらに備え、
前記記憶手段に記憶される前記省電力移行条件または前記省電力解除条件は、前記充電器との前記接続状態を含む携帯端末装置。
９．  １乃至８いずれかに記載の携帯端末装置において、
自装置の動きを検出する加速度検出手段をさらに備え、
前記記憶手段に記憶される前記省電力移行条件または前記省電力解除条件は、前記加速度検出手段の出力状態を含む携帯端末装置。
１０．  １乃至９いずれかに記載の携帯端末装置において、
現在の位置情報を取得する位置取得手段をさらに備え、
前記記憶手段に記憶される前記省電力移行条件または前記省電力解除条件は、特定の場所の位置情報を含む携帯端末装置。
１１．  １乃至１０いずれかに記載の携帯端末装置において、
アクセスポイントを経由して無線ＬＡＮ（Local Area Network）通信を行う通信手段と、
前記通信手段により、前記アクセスポイントのアクセスポイント情報を取得する取得手段と、をさらに備え、
前記記憶手段に記憶される前記省電力移行条件または前記省電力解除条件は、特定のアクセスのアクセスポイント情報を含む携帯端末装置。
１２．  １乃至１１いずれかに記載の携帯端末装置において、
前記携帯端末装置は、折り畳み型またはスライド型であり、
前記携帯端末装置の開閉状態を検出する検出手段と、をさらに備え、
前記記憶手段に記憶される前記省電力移行条件は、前記開閉状態を含む携帯端末装置。
１３．  携帯端末装置の制御方法であって、
前記携帯端末装置が、
メールまたは音声通話を着信する着信部と、
前記着信を使用者に報知する報知動作を行う着信報知部と、
省電力モードに移行する省電力移行条件および前記省電力モードを解除する省電力解除条件を記憶する記憶部と、を備え、
前記携帯端末装置が、
前記メールまたは前記音声通話の前記着信を検出し、
前記メールまたは前記音声通話の前記着信が検出されたとき、前記着信報知部に前記着信時に行う着信時動作として前記着信を使用者に報知する前記報知動作を行わせ、
前記省電力移行条件および前記省電力解除条件に従い、省電力モードに設定し、
前記省電力モード時に、前記着信動作に関係しない機能を停止させるとともに、前記着信報知部による前記報知動作を停止させ、
前記省電力モード時に、着信した前記メールまたは前記音声通話が前記省電力解除条件を満たすか否かを判定し、
前記省電力モード時に、前記メールまたは前記音声通話を着信したとき、前記省電力解除条件を満たすと判定された場合に、前記省電力モードを解除し、前記着信報知部による前記報知動作を実施させる携帯端末装置の制御方法。
１４．  携帯端末装置を実現するコンピュータプログラムであって、
前記携帯端末装置が、
メールまたは音声通話を着信する着信部と、
前記着信を使用者に報知する報知動作を行う着信報知部と、
省電力モードに移行する省電力移行条件および前記省電力モードを解除する省電力解除条件を記憶する記憶部と、を備え、
前記メールまたは前記音声通話の前記着信を検出する手順、
前記メールまたは前記音声通話の前記着信が検出されたとき、前記着信報知部に前記着信時に行う着信時動作として前記着信を使用者に報知する前記報知動作を行わせる手順、
前記省電力移行条件および前記省電力解除条件に従い、省電力モードに設定する手順、
前記省電力モード時に、前記着信動作に関係しない機能を停止させるとともに、前記着信報知部による前記報知動作を停止させる手順、
前記省電力モード時に、着信した前記メールまたは前記音声通話が前記省電力解除条件を満たすか否かを判定する手順、
前記省電力モード時に、前記メールまたは前記音声通話を着信したとき、前記省電力解除条件を満たすと判定された場合に、前記省電力モードを解除し、前記着信報知部による前記報知動作を実施させる手順をコンピュータに実行させるためのプログラム。
【符号の説明】
【００９０】
１０  携帯電話機
１２  ＣＰＵ
１４  メモリ
１６  報知部
１８  操作受付部
２０  表示部
２２  移動通信部
２４  アンテナ
２６  タイマ部
２８  時計部
３０  ブルートゥース部
３２  アンテナ
３４  バス
１０２  着信検出部
１０４  着信報知部
１０６  目覚まし時計部
１０８  設定時刻記憶部
１１０  判定部
１１２  モード設定部
１１４  省電力設定記憶部
１１６  制御部
１２０  省電力移行条件情報
１２２  着信時動作設定情報
１２４  充電時動作設定情報
１２６  省電力解除条件情報
１２８  省電力時動作設定情報
２００  携帯電話機
２１２  加速度センサ部
２１４  ＧＰＳ部
２１６  ＷＬＡＮ部
２１８  アンテナ
【図１】
0005387257.tif 000002
【図２】
0005387257.tif 000003
【図３】
0005387257.tif 000004
【図４】
0005387257.tif 000005
【図５】
0005387257.tif 000006
【図６】
0005387257.tif 000007
【図７】
0005387257.tif 000008
【図８】
0005387257.tif 000009